(57)【要約】  包み構造体が、封入構造及びこれに設けられた引裂き構造を有する。引裂き構造は、封入構造の内部キャビティ内に収容されたフィルムストリップへに接近できるよう封入構造の特定の部分の引裂きを可能にする。引裂き構造は、封入構造の隣接部分に対する引裂き抵抗が減少している。引裂き抵抗の減少により、封入構造の引裂きがその特定の部分に方向づけられる。変形例として、引裂き構造は、封入構造内に取り付けられると共に封入構造に設けられた孔を貫通して封入構造の外部に位置する場所まで延びる引きひもを有しても良い。孔の配設場所及び封入構造内への引きひもの取り付け部により、封入構造の引裂きがその特定の部分に方向づけられる。
2010520128.tif 000002
【特許請求の範囲】
【請求項１】
包み構造体であって、
封入構造と、
前記封入構造中に形成された引裂き構造とを有し、前記引裂き構造は、前記封入構造の隣接部分に対する引裂き抵抗が減少している、包み構造体。
【請求項２】
前記引裂き構造は、刻み目構造から成る、請求項１記載の包み構造体。
【請求項３】
前記引裂き構造は、前記封入構造に形成された穴を有し、
前記引裂き構造は、前記封入構造の隣接部分に対する引裂き抵抗が減少した方向づけ構造を更に有し、前記方向づけ構造は、前記穴と交差している、請求項１記載の包み構造体。
【請求項４】
前記引裂き構造は、前記封入構造の隣接部分に対する引裂き抵抗が減少した方向づけ構造を有し、
前記引裂き構造は、前記封入構造に取り付けられた標識を更に有し、前記標識は、前記方向づけ構造が引き裂かれる方向を指示するようになっている、請求項１記載の包み構造体。
【請求項５】
前記封入構造は、内部キャビティ及び外側封止領域を有し、
前記引裂き構造は、前記封止領域内に配置され、
前記引裂き構造は、連続しており、前記引裂き構造は更に、前記キャビティを備えた前記封入構造体に配置されている、請求項１記載の包み構造体。
【請求項６】
前記引裂き構造は、前記封入構造の隣接部分に対する引裂き抵抗が減少した方向づけ構造を有し、
前記方向づけ構造は、前記封止領域内に配置され、
前記方向づけ構造は、連続しており、前記方向づけ構造は更に、前記キャビティを備えた前記封入構造体内に配置され、
前記引裂き構造は、前記封止領域に形成された穴を更に有し、前記穴は、前記方向づけ構造と交差している、請求項５記載の包み構造体。
【請求項７】
前記引裂き構造は、前記封入構造の隣接部分に対する引裂き抵抗が減少した方向づけ構造を有し、
前記方向づけ構造は、前記封止領域内に配置され、
前記方向づけ構造は、連続しており、前記方向づけ構造は更に、前記キャビティを備えた前記封入構造体内に配置され、
前記引裂き構造は、前記封入構造に取り付けられた標識を更に有し、前記標識は、前記方向づけ構造が引き裂かれる方向を指示するようになっている、請求項５記載の包み構造体。
【請求項８】
包み構造体であって、
封入構造と、
前記封入構造内に配置されると共にこれに取り付けられた引きひもを有する引裂き構造とを有し、
前記引裂き構造は、前記封入構造に形成された孔を更に有し、前記引きひもは、前記孔を通って前記封入構造の外部に位置する場所まで延びるようになっており、
前記封入構造の外部への前記引きひもの前記配置により、前記引きひもを掴んで前記封入構造を引き裂くために前記封入構造に対して前記引きひもを変位させることができる、包み構造体。
【請求項９】
前記封入構造への前記引きひもの前記取り付け部は、前記孔から相当な距離のところに位置している、請求項８記載の包み構造体。
【請求項１０】
前記封入構造は、内部キャビティ及び外側封止領域を有し、
前記引きひもは、前記封止領域及び前記キャビティ内に配置されている、請求項８記載の包み構造体。
【請求項１１】
内部キャビティ及び外側封止領域を備えた封入構造を有する包み構造体を開放する方法であって、前記封入構造は、端縁部を有し、
前記包み構造体は、前記封止領域内に配置された引裂き構造を有し、前記引裂き構造は、連続しており、前記引裂き構造は更に、キャビティを備えた前記封入構造内に配置されている方向づけ構造を有し、前記方向づけ構造は、前記封入構造の隣接部分に対する引裂き抵抗が減少しており、
前記引裂き構造は、前記封止領域に形成された穴を有し、前記穴は、前記方向づけ構造と交差しており、
前記方法は、
前記封入構造を前記端縁部と前記穴との間で引き裂いて前記端縁部と境を接して連続した前記封入構造の一部分が、取っ手構造を構成するようにするステップと、
前記取っ手構造を掴んで前記封入構造を更に引き裂いて前記封入構造の前記引裂きが前記方向づけ構造と一致すると共に前記キャビティと交差するようにするステップとを有する、方法。
【請求項１２】
前記掴みは、前記取っ手構造を前記封入構造に対して相当な角度をなして差し向けるステップを含む、請求項１１記載の方法。
【請求項１３】
内部キャビティ及び外側封止領域を備えた封入構造を有する包み構造体を開放する方法であって、前記包み構造体は、前記封入領域及び前記キャビティ内に配置されている引きひもを備えた引裂き構造を有し、前記引きひもは、前記封入構造に取り付けられており、前記引裂き構造は、前記封入構造に形成された孔を有し、前記引きひもは、前記孔を通って前記封入構造の外部に位置する場所まで延びるようになっており、
前記方法は、前記引きひもを掴んで前記封入構造の引裂きのために前記封入構造に対して前記引きひもを変位させて前記引裂きが前記キャビティと交差するようにするステップを有する、方法。
【発明の詳細な説明】
【技術分野】
【０００１】
本発明は、一般に、パウチ又は包みに関し、特に、収納されたフィルムストリップを取り出すことができるよう開放可能なパウチ又は包みに関する。
【０００２】
〔関連出願の説明〕
本願は、２００７年３月２日に出願された米国特許仮出願第６０／９０４，７２７号の優先権及び権益主張出願であり、この米国特許仮出願を参照により引用し、その記載内容を本明細書の一部とする。
【背景技術】
【０００３】
各種医薬品及びその類似物質は、典型的には、比較的正確な量で消化されることが必要である。医薬品を提供すると共に消化のためにかかる比較的正確な量を提供する一技術は、溶解可能なフィルムストリップに比較的正確な量の医薬品を含浸させることである。ユーザは、次に、フィルムストリップの自分の口の中に入れて比較的正確な量の医薬品を受け入れることができる。
【０００４】
切り傷や創傷の治癒を容易にするために薬剤が切り傷や創傷に塗布される場合が多い。かかる薬剤を皮膚の切り傷や創傷に塗布する一技術は、フィルムストリップに薬剤を含浸させることである。次に、ユーザは、フィルムストリップを切り傷又は創傷及び多くの場合隣接の皮膚の上に置くのが良く、その結果フィルムストリップ上の薬剤が切り傷又は創傷に移されるようにする。フィルムストリップは、薬剤が切り傷又は創傷に移された後、溶けるのが良く又は取り出されるのが良い。
【０００５】
かかる含浸フィルムストリップは、ユーザによる消化又は塗布前に、保管のためのパウチ又は包み内に収容されるのが良い。かかるパウチ又は包みは、フィルムストリップに対して保護をもたらし、医薬品又は薬剤をユーザによるその消化又は塗布に先立って、制御された環境中に維持する。パウチ又は袋は、典型的には、ユーザが手でパウチ又は包みを引き裂くことによって開かれ、それによりこれらの中に入っているフィルムストリップに接近することができる。
【０００６】
ユーザは、パウチ又は包みを手で引き裂く場合、パウチ又は包みの縁部分を除去して、フィルムストリップが収容されているそのキャビティを開放するのが良い。典型的には、縁部分を除去しても、例えば引裂き等によってその影響がフィルムストリップに及ぼされないようにすることが必要である。縁部分の除去による影響をフィルムストリップに及ぼさないようにするには、例えば、フィルムストリップがパウチ又は包み内に入れられた状態で除去される縁部分のオーバーラップを制限することにより、除去されるパウチ又は包みの縁部分の寸法を制限するのが良い。したがって、パウチ又は包み内のキャビティを開くために除去されるパウチ又は包みの縁部分の寸法を制限することは、有利である。
【発明の概要】
【０００７】
本発明の包み構造体は、封入構造及び封入構造中に形成された引裂き構造を有する。引裂き構造は、封入構造内の内部キャビティ内に保管されているフィルムストリップに接近できるようにするために封入構造の特定の区分又は部分の引裂きを可能にする。引裂き構造により、引き裂かれる封入構造の部分は、内部キャビティ内に保管されているフィルムストリップが内部キャビティ内のフィルムストリップへの接近を可能にする封入構造の引裂きによっては影響を受けないよう制限された寸法を有するのが良い。
【０００８】
封入構造の隣接部分に対して引裂き抵抗が減少した引裂き構造は一実施形態により提供される。引裂き抵抗の減少により、封入構造の引裂きが制限された寸法を有するその特定の部分に方向づけられる。封入構造の引裂きは、ユーザが封入構造を掴み、封入構造から取り外し可能な縁部を引き裂くことによって行われ、それにより内部キャビティ内に保管されているフィルムストリップへの接近が可能になる。
【０００９】
引裂き構造は、変形例として、封入構造内に取り付けられると共に封入構造に設けられた孔を貫通して封入構造の外部に位置する場所まで延びる引きひもを有しても良い。孔の配設場所及び封入構造内への引きひもの取り付け部により、封入構造の引裂きがその特定の部分に方向づけられる。封入構造の引裂きは、引きひもを封入構造に対して変位させることによって行われる。
【００１０】
本発明の上記特徴及び他の特徴は、添付の図面を参照して行われる本発明の特定の実施形態についての以下の説明からより完全に理解されよう。
【図面の簡単な説明】
【００１１】
【図１】本発明の包み構造体の平面図であり、包み構造が、封入構造及び封入構造に対して引裂き抵抗が減少した引裂き構造を有するものとして示されている図である。
【図２】図１の包み構造体の側面図であり、包み構造体の最初の引裂きの結果として生じる取っ手構造を示す図である。
【図３】図１の包み構造体の変形実施形態の平面図であり、包み構造体が、封入構造及び引きひもを含む引裂き構造を有するものとして示されている図である。
【発明を実施するための形態】
【００１２】
図面の中の幾つかの図全体にわたり対応の参照符号は対応の部分を示している。
【００１３】
図面を参照し、特に図１を参照すると、パウチ又は包み構造体１０は、第１のパネル１２及び第２のパネル１４を有している。第１のパネル１２と第２のパネル１４は、封止構造１６を形成するよう互いに封着されており、この封入構造は、互いに封着された第１のパネル１２及び第２のパネル１４の領域により定められた周辺封止領域１８を有している。封入構造１６は、封止領域１８内に内部キャビティ２０を有している。封入構造１６は、側縁部２２、取り外し可能な縁部２４及び端縁部２６，２８を有している。
【００１４】
包み構造体１０は、引裂き構造３０を有し、この引裂き構造は、封止領域１８の一部分を貫通して延びる第１の穴３２を有し、第１の穴の少なくとも一部は、図１に示されているようにキャビティ２０と端縁部２６との間に存在している。引裂き構造３０は、封止領域１８の一部分に設けられた第２の穴３４を有し、第２の穴の少なくとも一部は、キャビティ２０と端縁部２８との間に位置している。
【００１５】
引裂き構造３０は、刻み目構造３８により構成された方向づけ構造３６を有する。刻み目構造３８は、細長く、図１に示されているように、第１の穴３２と第２の穴３４との間でこれらに対して交差関係をなして延びている。刻み目構造３８は、封止構造１６の隣接部分に対して引裂き抵抗が減少している。刻み目構造３８は、第１及び第２のパネル１２，１４の引っ掻き、切り込み又は厚さ減少によって構成されている。刻み目構造３８は、連続しており、キャビティ２０を構成する第１及び第２のパネル１２，１４の部分に配置されている。刻み目構造３８の代替手段、例えば細長い小穴（ミシン目）又はスリットが方向づけ構造３６について可能である。
【００１６】
引裂き構造３０は、全体として端縁部２６に隣接して第１及び第２のパネル１２，１４に取り付けられた第１の標識４０を有する。第１の標識４０は、第１の穴３２が図１に示されているように第１の標識と刻み目構造３８との間に位置するようパネル１２，１４に設けられている。引裂き構造３０は、全体として端縁部２８に隣接して第１及び第２のパネル１２，１４に取り付けられた第２の標識４２を有する。第２の標識４２は、第２の穴３４が第２の標識と刻み目構造３８との間に位置するようパネル１２，１４に設けられている。また、切欠きが端縁部２６，２８に形成されても良く、この場合、切欠きは、方向づけ構造３６の方に向くようになっている。
【００１７】
高分子マトリックス又は有効物質を含むフィルムストリップ４４が、包み構造体１０のキャビティ２０内に収納されている。有効物質は、溶解可能な高分子マトリックスに含浸された医薬品であるのが良い。変形例として、有効物質は、切り傷又は創傷のための薬剤であっても良く、かかる薬剤は、溶解可能であり又は薬剤が切り傷又は創傷に移された後に取り出される高分子マトリックスに含浸される。包み構造１０とフィルムストリップ４４は、ユニット組立体４６を構成する。
【００１８】
包み構造体１０は、取り外し可能な縁部２４を封入構造１６から引き裂く方法に従って開放される。右利きのユーザの場合、包み構造体１０は、図１に示されるように差し向けられる。第１の標識４０及び端縁部２６に隣接して位置する封入構造１６の部分は、ユーザの左手で掴まれ、刻み目構造３８が左手と取り外し可能な縁部２４との間に位置するようにする。左手によるこの掴みと同時に、第１の標識４０及び端縁部２６に隣接して位置する封入構造１６は、ユーザの右手で掴まれ、右手が取り外し可能な縁部２４と刻み目構造３８との間に位置するようにする。左手及び右手による封入構造１６の掴みは、典型的には、それぞれの手の親指と人差し指との間で行われる。
【００１９】
ユーザの左手と右手を封入構造１６に垂直な方向に互いに遠ざかるよう変位させる。封入構造１６の掴み場所が第１の標識４０に隣接して位置する結果として、ユーザの右手と左手を変位させて互いに遠ざけると、引裂きが開始される。第１の標識４０は、引裂きが第１の穴３２に向かって方向づけられることを指示している。したがって、ユーザは、通常、右手と左手の相対変位具合を調節して第１の標識４０によって指示されている引裂き方向が実現されるようにする。
【００２０】
ユーザの右手と左手を引き続き変位させて互いに遠ざけた結果として、第１の穴３４に達する刻み目構造３８の引裂きが生じる。この結果、取り外し可能な縁部２４及び端縁部２６と境を接して連続している封入構造１６の一部分は、図２に示されているように、封入構造に対して相当大きな角度、例えば９０°をなして差し向けられることになる。端縁部２６及び取り外し可能な縁部２４と境を接して連続した封入構造１６のこの部分は、図２に示されているように取っ手又はつまみ４８を構成する。刻み目構造３８の左側に位置する封入構造１６の区分がユーザの左手で引き続き掴まれた状態で、取っ手４８は、ユーザの右手で掴まれて、当初第２の穴３４に向かう方向５０で左手に対して動かされる。封入構造の隣接部分に対して刻み目構造の引裂き抵抗が減少している結果として、封入構造１６の引裂きは、刻み目構造３８と一致する。また、第１の標識４０は、封入構造１６の引裂きが刻み目構造３８と一致するようになることを指示している。取っ手４８の下向きの変位は、刻み目構造３８の引裂きが第２の穴３４に達するよう続けられる。刻み目構造３８の引裂き前に、封入構造１６を１回又は２回以上折り畳んで折り目が刻み目構造と一致するようにするのが良い。
【００２１】
第１の穴３２と第２の穴３４との間における刻み目構造３８の引裂き及びキャビティ２０を構成する第１及び第２のパネル１２，１４の領域への刻み目構造の配置の結果として、キャビティ２０が開放される。したがって、刻み目構造３８を引き裂くと、キャビティ２０を開放する上で第２の穴３４と端縁部２８との間における封入構造１６の引裂きは不要である。第１の穴３２と第２の穴３４との間における刻み目構造３８の引裂きに続き、第１のパネル１２及び第２のパネル１４、例えば、刻み目構造３８の引裂き前に刻み目構造と境を接して連続していたこれらパネルの部分を引き剥がすことによりキャビティ２０を開放することができる。
【００２２】
封入構造１６の引裂きは、端縁部２８と交差した封入構造の部分を引き裂くことによって開始でき、これは、端縁部２６と交差した封入構造の部分を最初に引き裂くことによって封入構造を引き裂く本明細書において開示した方法に従って実施される。その結果、右利きのユーザは、典型的には第２の標識４２及び端縁部２８に隣接して位置する封入構造１６の部分を左手で掴んで刻み目構造３８が左手と取り外し可能な縁部２４との間に位置するようにする。左手によるこの掴みと同時に、第２の標識４２及び端縁部２８に隣接して位置する封入構造１６は、ユーザの右手で掴まれ、右手が取り外し可能な縁部２４と刻み目構造３８との間に位置するようにする。ユーザの左手と右手を第２の標識４２に指示されているように互いに遠ざかって変位させ、それにより端縁部２８と第２の穴３４との間で封入構造を最初に引き裂いて取っ手又はつまみ４８を形成する。取っ手を先ず最初に第１の穴３２に向かって、封入構造１６を引き裂く方向５０とは反対の方向に変位させる。封入構造１６の引裂きは、刻み目構造３８と一致しており、かかる引裂きは、裂け目が第１の穴３２に達するよう続けられる。この結果、キャビティ２０が開放される。封入構造１６は、本明細書において開示した方法に従ってキャビティ２０を開放するために封入構造の引裂きのための種々の向きを有するのが良い。これらの向きとしては、端縁部２６が端縁部２８の上に位置するか端縁部２８が端縁部２６の上に位置するかのいずれかが挙げられる。また、封入構造１６の向きは、垂直であっても水平であっても斜めであっても良い。
【００２３】
左利きのユーザによる包み構造体１０の開放は、代表的には、封入構造１６を取り外し可能な縁部２４が側縁部２２の左側に位置するよう差し向けることによって行われる。これにより、取り外し可能な縁部２４と刻み目構造３８との間の封入構造１６の部分を左利きのユーザの左手で掴むことができ、これは、本明細書において開示した方法に従って封入構造１６を右利きのユーザの右手で掴むのと対応した仕方で実施される。左利きのユーザの右手は、本明細書に開示した方法に従って右利きのユーザの左手で封入構造１６を掴むのと対応した仕方で封入構造１６を側縁部２２と刻み目構造３８との間で掴む。封入構造１６は左利きのユーザによって掴まれると、本明細書において開示した方法に従って右利きのユーザによって掴まれたときの封入構造の向きに一致した種々の向きを取ることができる。
【００２４】
刻み目構造３８の引裂きによるキャビティ２０の開放により、キャビティ内に配置されているフィルムストリップ４４への接近が可能である。フィルムストリップ４４は、先に取っ手４８を掴んでいたユーザの手でキャビティ２０から取り出される。これは、取っ手４８から関連の手を放し、その手の親指と人差し指をキャビティ２０の中に差し入れることによって行われる。フィルムストリップ４４は、親指と人差し指との間で掴まれ、次に、キャビティ２０から取り出される。
【００２５】
キャビティ２０からのフィルムストリップ４４の取り出しに続き、フィルムストリップをユーザ又は別の人の開けた口の中に差し入れ、代表的には、その人の舌の上面の上に置く。次に、ユーザの手をフィルムストリップ４４を貰った人の口から出し、その人の口が閉じられる。この結果、典型的には、貰った人によるフィルムストリップ４４の消化が起こる。変形例として、キャビティ２０からのフィルムストリップ４４の取り出しに続き、フィルムストリップをユーザ又は別の人の切り傷又は創傷及び隣接の皮膚の上に置いても良い。次に、フィルムストリップ４４の薬剤は、切り傷又は創傷に移り、その治癒を促進する。フィルムストリップ４４の高分子マトリックスは、貰った人の切り傷又は創傷及び皮膚の上で溶けるのが良く、或いは、変形例として、高分子マトリックスの構造が貰った人の切り傷又は創傷の皮膚からのその物理的な除去が可能なよう保持されても良い。
【００２６】
変形実施形態としての包み構造体１０ａが図３に示されている。図１及び図２に示された部分に相当する図３に示されている部分は、図３において、図１及び図２において用いられたのと同じ参照符号に添字“ａ”を付けて示されている。この変形実施形態では、引裂き構造３０ａは、近位端部５４及び遠位端部５６を備えた引きひも５２を有している。遠位端部５６は、封入構造１６ａ内に配置され、図３に示されているように、キャビティ２０ａと端縁部２８ａとの間に位置する封止領域１８ａの部分における第１及び第２のパネル１２ａ，１４ａへの連結部５８によって封入構造１６ａに取り付けられている。連結部５８は、接着剤又は他の結合手段によって提供される。引きひも５２は、連結部５８から封入構造１６ａ及びキャビティ２０ａを通って端縁部２６ａに向かう方向に延びている。変形実施形態では、引きひも５２の追加の部分を、例えば引きひもをキャビティ２０ａと端縁部２６ａとの間に位置する封止領域１８ａの部分における第１及び第２のパネル１２ａ，１４ａに連結することにより、封入構造１６ａ内に取り付けても良い。
【００２７】
引裂き構造３０ａは、第１のパネル１２ａに形成された孔６０を有している。具体的に説明すると、孔６０は、図３に示されているように、キャビティ２０ａと端縁部２６ａとの間に位置する封止領域１８ａの部分に配置されている。引きひも５２は、近位端部５４が封入構造１６ａの外部に位置するよう孔６０を貫通して延びている。封止領域１８ａの互いに反対側の部分への孔６０及び連結部５８の配置により、封入構造１６ａへの引きひも５２の取り付け部を孔６０から相当な距離を置いたところに配置することができる。
【００２８】
包み構造体１０ａは、キャビティ２０ａと端縁部２６ａとの間に位置する封止領域１８ａの部分をユーザの一方の手で掴み、引きひも５２をユーザの他方の手で掴む方法に従って開放される。ユーザが右利きの場合、包み構造体１０ａを取り外し可能な縁部２４ａが図３に示されているように右側の縁部を構成するよう差し向ける。これにより、ユーザの左手でキャビティ２０ａと端縁部２６ａとの間に位置する封止領域１８ａの部分を掴み、例えば、親指と人差し指と中指の間で掴むことができる。引きひも５２の近位端部５４は、ユーザの右手で、典型的には、親指と人差し指との間で掴まれる。近位端部５４を第１のパネル１２ａに対して外方に且つ引きひも５２の遠位端部５６に向かう方向に引く。その結果、引きひも５２は、第１のパネル１２ａの隣接部分をこれに垂直な外向きの方向に引き裂く。第１のパネル１２ａから遠ざかり且つ遠位端部５６の方への方向に近位端部５４を変位させることは、第１のパネル１２ａへの引裂きが第１のパネル及び第２のパネル１４ａへの引きひも５２の連結部５８に達するよう続けられる。孔６０と連結部５８との間における封入構造１６の引裂き及びキャビティ２０ａを構成する封止構造１６ａの領域への引きひも５２の配置の結果として、キャビティ２０ａが開放される。封入構造１６ａは、本明細書において開示した方法に従ってキャビティ２０ａを開放するために封入構造の引裂きのための種々の向きを有するのが良い。これらの向きとしては、端縁部２６ａが端縁部２８ａの上に位置するか端縁部２８ａが端縁部２６ａの上に位置するかのいずれかが挙げられる。また、封入構造１６ａの向きは、垂直であっても水平であっても斜めであっても良い。
【００２９】
左利きのユーザによる包み構造体１０ａの開放は、代表的には、封入構造１６ａを取り外し可能な縁部２４ａが側縁部２２ａの左側に位置するよう差し向けることによって行われる。これにより、キャビティ２０ａと端縁部２６ａとの間に位置する封止領域１８ａの部分を左利きのユーザの右手で掴むことができ、これは、本明細書において開示した方法に従って封止領域１８ａのこの部分を右利きのユーザの左手で掴む仕方で実施される。また、引きひも５２の遠位端部５６は、本明細書において開示した方法に従って右利きのユーザの右手で引きひもを掴むのと一致した仕方で左利きのユーザの左手で掴まれる。封入構造１６ａは左利きのユーザによって掴まれると、本明細書において開示した方法に従って右利きのユーザによって掴まれたときの封入構造の向きに一致した種々の向きを取ることができる。
【００３０】
孔６０と連結部５８との間における第１のパネル１２ａの引裂きによるキャビティの開放により、キャビティ２０ａ内に配置されているフィルムストリップ４４ａへの接近が可能である。フィルムストリップ４４ａは、先に引きひも５２を掴んでいたユーザの手でキャビティ２０ａから取り出される。これは、引きひも５２から関連の手を放し、その手の親指と人差し指をキャビティ２０ａの中に差し入れることによって行われる。フィルムストリップ４４ａは、親指と人差し指との間で掴まれ、次に、キャビティ２０ａから取り出される。キャビティ２０ａからのフィルムストリップ４４ａの取り出しに続き、フィルムストリップは、キャビティ２０ａからのフィルムストリップ４４ａの取り出しに続き、ユーザ又は別の人によるフィルムストリップ４４ａの使用に一致した方法に従ってユーザ又は別の人によって用いられる。
【００３１】
或る特定の好ましい実施形態を参照して本発明を説明したが、説明した技術的思想としての本発明の精神及び範囲内で多くの変更を実施できることは理解されるべきである。したがって、本発明は、開示した実施形態には限定されず、特許請求の範囲の記載によって許容される範囲全体を有するものである。
【図１】
2010520128.tif 000003
【図２】
2010520128.tif 000004
【図３】
2010520128.tif 000005
【国際調査報告】
2010520128.tif 000006
2010520128.tif 000007
2010520128.tif 000008